(57)【要約】【課題】カメラの小型化を実現する。【解決手段】カメラ１の筐体を形成する外カバー３と、外カバー３に設けられた開口部３１に、押圧可能に支持される操作部材４と、操作部材４を片持ち構造で支持するように一端側が外カバー３の内側面に固着され、他端側に操作部材４が固着される薄板状の保持部材６とを備える。これにより操作部材４の取付スペースを節約でき、カメラを小型化できる。【選択図】図３
2007127877.tif 000002
【特許請求の範囲】
【請求項１】
カメラの筐体を形成する外カバーと、
前記外カバーに設けられた開口部に、押圧可能に支持される操作部材と、
前記操作部材を片持ち構造で支持するように一端側が前記外カバーの内側面に固着され、他端側に前記操作部材が固着される薄板状の保持部材とを備えることを特徴とするカメラ。
【請求項２】
請求項１に記載のカメラにおいて、
前記保持部材の取付部には、前記外カバーに対する前記保持部材の位置を規制する位置決め機構が設けられることを特徴とするカメラ。
【請求項３】
請求項１または２に記載のカメラにおいて、
前記操作部材は、
前記開口部の内側に位置して押圧操作される操作部と、
この操作部に連なり、前記外カバーと前記保持部材との間に延設される保持部とを有することを特徴とするカメラ。
【請求項４】
請求項１〜３のいずれか１項に記載のカメラにおいて、
前記操作部材に対して押圧操作に抗した付勢力を及ぼす付勢部材をさらに備えることを特徴とするカメラ。
【請求項５】
請求項４に記載のカメラにおいて、
前記操作部材の押圧操作を検出するスイッチ部材をさらに備え、
前記付勢部材は、前記スイッチ部材に内蔵されていることを特徴とするカメラ。
【発明の詳細な説明】
【技術分野】
【０００１】
本発明は、小型化が可能なカメラに関する。
【背景技術】
【０００２】
周知のようにカメラの筐体を形成する外カバーには、レリーズボタンや電源ボタン等の各種操作部材が取り付けられる。この種の操作部材の取付構造に関し、ゴムにより形成された弾性部材を外カバーの内側面に接着し、この弾性部材を介してレリーズボタンを押圧可能に支持するようにしたものが知られている（例えば特許文献１参照）。
【０００３】
【特許文献１】特開平１１−１６７１５５号公報
【発明の開示】
【発明が解決しようとする課題】
【０００４】
しかしながら、上記特許文献１記載のカメラでは、弾性部材を介してレリーズボタンを押圧可能に支持するので、弾性部材が比較的厚肉の複雑形状とならざるをえず、カメラの小型化が困難である。
【課題を解決するための手段】
【０００５】
本発明によるカメラは、カメラの筐体を形成する外カバーと、外カバーに設けられた開口部に、押圧可能に支持される操作部材と、操作部材を片持ち構造で支持するように一端側が外カバーの内側面に固着され、他端側に操作部材が固着される薄板状の保持部材とを備えることを特徴とする。
保持部材の取付部に、外カバーに対する保持部材の位置を規制する位置決め機構を設けることが好ましい。
操作部材が、開口部の内側に位置して押圧操作される操作部と、この操作部に連なり、外カバーと保持部材との間に延設される保持部とを有することもできる。
操作部材に対して押圧操作に抗した付勢力を及ぼす付勢部材をさらに備えることもできる。この場合、操作部材の押圧操作を検出するスイッチ部材に付勢部材を内蔵するようにしてもよい。
【発明の効果】
【０００６】
本発明によれば、外カバーに設けられる操作部材の取付部のスペースを節約することができ、カメラを小型化することができる。
【発明を実施するための最良の形態】
【０００７】
図１〜図３を参照して本発明によるカメラの実施の形態を説明する。
図１は本実施の係るカメラの外観を示す斜視図である。このカメラ１は、例えばレンズ鏡筒２をカメラボディに沈胴させる沈胴式コンパクトデジタルカメラであり、カメラボディの大部分は外カバー３に覆われている。外カバー３はカメラの筐体を形成し、カメラの外観形状を規定する。
【０００８】
外カバー３の上面には電源ボタン４やレリーズボタン５等の操作部材が設けられている。電源ボタン４はユーザの押圧操作によりカメラの電源のオンオフを指令し、レリーズボタン５は押圧操作によりレリーズスイッチのオンを指令する。なお、外カバー３には撮影モードを切り換えるモードダイヤルや撮影レンズをズーム作動させるズームボタン等も設けられるが、これらの図示は省略する。以下では電源ボタン４の取付構造についてとくに説明する。
【０００９】
図２は電源ボタン４の取付構造を示す分解斜視図であり、図３は図２のIII-III線断面図である。外カバー３には略円形状の開口部３１が設けられ、開口部３１に電源ボタン４が配設されている。なお、開口部３１の側方にはレリーズボタン５が収容される収容部５１が設けられている。
【００１０】
電源ボタン４は、上方に膨出した略円形状の凸部４１と、その凸部４１の周囲に全周にわたって形成された凹部４２とを有する。凸部４１は開口部３１の内側に配置され、凸部４１の表面がユーザにより操作される。凹部４２には外カバー３の開口縁部３２が嵌合し、外カバー３に対する電源ボタン４の位置が規制されている。凸部４１の裏側中央には下方に向けて押圧部４３が突設されている。なお、電源ボタン４の周縁部には凸部４４が設けられ、凸部４４は外カバー３の内側の溝部（不図示）に系合し、電源ボタン４の回り止めとして機能する。
【００１１】
外カバー３の内側面は凹凸状に形成され、開口部３１の側方に形成された凸部３３には両面テープ１０を介して保持部材６の一端部６１が接着されている。保持部材６は曲げ荷重を受けたときに容易に撓むように、例えば０．３mmの樹脂製の平面シートをプレス加工して形成され、弾性力の弱い板ばねとして機能する。
【００１２】
保持部材６の他端部６２は開口部３１の下方に至るまで水平方向に延設されている。この他端部６２には電源ボタン４の押圧部４３が貫通するように切り欠き６３が設けられるとともに、両面テープ１０を介して電源ボタン４の凹部４２の底面が接着され、電源ボタン４は片持ち構造の保持部材６により支持されている。保持部材６は電源ボタン４を接着して支持するのに必要な大きさに形成すればよく、図３では保持部材６の端面と電源ボタン４の端面が一致している。
【００１３】
保持部材６の一端部６１には一対の貫通孔６４が開口され、この貫通孔６４に対応して外カバー３の内側面に一対のボス部３４が設けられている。各貫通孔６４には外カバー３のボス部３４が嵌合し、外カバー３に対する保持部材６の位置が規制されている。貫通孔６４の１つは、ボス部３４に貫通孔６４を容易に嵌合できるように長孔に形成されている。
【００１４】
電源ボタン４の下方にはカメラボディに固定された支持板７が配設され、支持板７の上面にフレキシブル基板８が装着されている。フレキシブル基板８には上方に円弧状の膨らみをもったドーム型の検出スイッチ８１が配設されている。検出スイッチ８１は電源ボタン４の押圧部４３により押圧され、電源ボタン４のオンオフ操作を検出する。検出スイッチ８１にはばねが内蔵され、電源ボタン４には押圧操作に対抗したばねの付勢力が作用する。
【００１５】
次に、本実施の形態に係るカメラの主要な動作を説明する。
図３において、ユーザが電源ボタン４を押圧操作すると、保持部材６に曲げ荷重が作用し、保持部材６は端部６１におけるカバー３との接着状態を保ったまま、その接着の端部（図のＡ点）を支点にして下方に弾性変形する。これにより検出スイッチ内のばねの付勢力に対抗して電源ボタン４の押圧部４３が検出スイッチ８１を押圧し、カメラの電源がオンオフされる。ユーザが電源ボタン４の操作をやめると、曲げ荷重に抗した保持部材６からの付勢力、および押し付け荷重に抗した検出スイッチ８１からの付勢力により、電源ボタン４は押圧操作される前の初期位置に復帰する。
【００１６】
カメラの組立は次のように行う。まず、外カバー３を上下ひっくり返した状態として、外カバー３の開口部３１に上方から電源ボタン４を挿入し、電源ボタン４を開口縁部３２に載置する。このとき電源ボタン４の凹部４２に開口縁部３２が嵌合し、外カバー３に対して電源ボタン４が位置決めされる。次いで、保持部材６の片面に両面テープ１０を接着し、その状態で保持部材６の貫通孔６４に外カバー３のボス部３４を嵌合しつつ、外カバー３の凸部３３の端面および電源ボタン４の凹部４２の底面にそれぞれ両面テープ１０を接着する。これにより保持部材６が外カバー３に対して位置決めされた状態で接着されるので、保持部材６に電源ボタン４を精度良く接着することができる。
【００１７】
以上の実施の形態によれば以下のような作用効果を奏することができる。
（１）外カバー３の内側面に薄板状の保持部材６の一端部６１を接着し、この保持部材６の他端部６２に電源ボタン４を接着し、保持部材６を介して電源ボタン４を片持ち構造により支持するようにした。これにより電源ボタン４の取付部のスペースを節約することができ、カメラの小型化を図ることができる。
【００１８】
すなわち例えば電源ボタン４をゴム等を介して外カバー３から支持する場合、ゴムと外カバー３およびゴムと電源ボタン４の接着状態を保ったままゴムの弾性変形により電源ボタン４を押圧可能に支持する必要がある。そのためには、ゴムを厚肉形状に形成し、かつ電源ボタン４の全周を囲むようにゴムを形成する必要があるため、電源ボタン４の取付部のスペースが多く必要となる。これに対し、薄板状の保持部材６を介して電源ボタン４を片持ち構造で支持する場合、保持部材６と外カバー３および電源ボタン４との十分な接着力を保ちつつ、保持部材６に作用する曲げ荷重により電源ボタン４の押圧操作が可能であり、電源ボタン４の全周を囲むように保持部材６を設ける必要もないため、取付スペースを節約できる。
【００１９】
（２）外カバー３に対し保持部材６をボス部３４を介して位置決めするようにしたので、開口部３１に挿入された電源ボタン４を、保持部材６の所定位置に精度良く接着することができる。したがって、電源ボタン４のずれを考慮して保持部材６を幅広に形成するといった必要がなく、電源ボタン４の押圧部４３が保持部材６に干渉することも防止できる。
（３）電源ボタン４の周囲に凹部４２を設け、この凹部４２に外カバー３の開口縁部３２を嵌合し、電源ボタン４を開口部３１に配置した状態で保持するようにしたので、電源ボタン４の取付が容易である。
（４）電源ボタン４の凹部４２を、外カバー３と保持部材６の間に上下に挟み込むように配置するので、電源ボタン４と保持部材６の接着力が弱まっても電源ボタン４が外カバー３から脱落することを防止できる。
（５）ばねを内蔵した検出スイッチ８１を設け、この検出スイッチ８１により電源ボタン４に対し押圧操作に抗した付勢力を及ぼすようにしたので、曲げ荷重に抗した保持部材による付勢力を大きくしなくても、電源ボタン４を初期位置に復帰させることができる。
（６）検出スイッチ８１にばねを内蔵するので、付勢部材を別に設ける必要がなく、部品点数を節約できる。
【００２０】
なお、上記実施の形態では、電源ボタン４の取付構造を例に説明したが、外カバー３に設けられた開口部に押圧可能に支持される他の操作部材についても本発明を同様に適用できる。電源ボタン４により検出スイッチ８１を操作するようにしたが、操作部材はスイッチを操作するものでなくてもよく、例えばカバー開閉用の操作部材でもよい。片持ち支持構造により外カバー３から支持するのであれば、薄板状の保持部材６の形状は上述したものに限らない。
【００２１】
外カバー３のボス部３４を貫通孔６４に嵌合して保持部材６を位置決めするようにしたが、位置決め機構はこれに限らない。電源ボタン４に操作部としての略円形状の凸部４１を形成するとともに、凸部４１の周囲に保持部としての凹部４２を形成したが、操作部材の形状はこれに限らない。ドーム型の検出スイッチ８１により押圧操作を検出するようにしたが、他のスイッチ部材を用いてもよい。検出スイッチ８１にばねを内蔵して電源ボタン４を付勢するようにしたが、検出スイッチ以外に付勢部材を設けるようにしてもよく、ばね以外の付勢部材により操作部材を付勢するようにしてもよい。
【００２２】
上記実施の形態では、デジタルカメラに適用したが、銀塩フィルムを用いるカメラ等、外カバーに押圧可能に支持される操作部在を有する他のカメラにも本発明を同様に適用することができる。すなわち、本発明の特徴、機能を実現できる限り、本発明は実施の形態のカメラに限定されない。なお、以上の説明はあくまで一例であり、発明を解釈する際、上記実施形態の記載事項と特許請求の範囲の記載事項の対応関係になんら限定も拘束もされない。
【図面の簡単な説明】
【００２３】
【図１】本発明の実施の形態に係るカメラの外観を示す斜視図。
【図２】電源ボタンの取付構造を示す分解斜視図。
【図３】図２のIII-III線断面図。
【符号の説明】
【００２４】
３  外カバー
３４  ボス部
４  電源ボタン
４１  凸部
４２  凹部
６  保持部材
６４  貫通孔
８１  検出スイッチ
【図１】
2007127877.tif 000003
【図２】
2007127877.tif 000004
【図３】
2007127877.tif 000005